(57)【要約】【課題】  １つのアンテナによってケースの表面および裏面の両面で非接触型の被読取媒体との通信を行うことができる情報処理装置を提供する。【解決手段】  機器ケース１の内部にループ状のアンテナ７を設けた情報処理装置において、アンテナ７は、一部１３が機器ケース１の表面側に位置し、他部１４が機器ケース１の裏面側に位置した状態で、折り曲げ部１５によって折り曲げられてループ状に連続している。従って、機器ケース１内の表面側に位置するアンテナ７の一部１３によって機器ケース１の表面側において非接触状態で通信することができ、また機器ケース１内の裏面側に位置するアンテナ７の他部１４によって機器ケース１の裏面側においても非接触状態で通信することができる。【選択図】        図４
2014082607.tif 000002
【特許請求の範囲】
【請求項１】
ケースの内部にループ状のアンテナを設けた情報処理装置において、
前記アンテナは、一部が前記ケースの表面側に位置し、他部が前記ケースの裏面側に位置した状態で、折り曲げ部によって折り曲げられてループ状に連続していることを特徴とする情報処理装置。
【請求項２】
請求項１に記載の情報処理装置において、前記アンテナは、ループ状に形成されたフレキシブル基板と、このフレキシブル基板に渦巻き状に連続して設けられたアンテナ線とを有していることを特徴とする情報処理装置。
【請求項３】
請求項１または請求項２に記載の情報処理装置において、前記ケースの内部には、このケースの表面に露呈する表示部を有するモジュールが設けられており、前記ケースの表面側に位置する前記アンテナの前記一部は、前記表示部の外周部に配置されていることを特徴とする情報処理装置。
【請求項４】
請求項３に記載の情報処理装置において、前記ケースの裏面側に位置する前記アンテナの前記他部は、前記モジュールの裏面に配置されていることを特徴とする情報処理装置。
【請求項５】
請求項１〜請求項４のいずれかに記載の情報処理装置において、前記アンテナは、前記ケースの隅部に設けられていることを特徴とする情報処理装置。
【発明の詳細な説明】
【技術分野】
【０００１】
この発明は、非接触型の被読取媒体との通信を行う情報処理装置に関する。
【背景技術】
【０００２】
例えば、リーダライタ機能を有する情報処理装置においては、特許文献１に記載されているように、１３．５６ＭＨｚの周波数帯の電波を利用することにより、ＩＣカードやＩＣタグなどの非接触型（ＮＦC：Near Field
Communication）の被読取媒体に対して非接触状態で無線通信を行うように構成されたものが知られている。
【先行技術文献】
【特許文献】
【０００３】
【特許文献１】特開２０１１−３４４６５号公報
【０００４】
この種の情報処理装置は、機器ケース内に情報を電気光学的に表示するための表示部が設けられ、この表示部の表面側に位置する機器ケースの表面にループ状のアンテナが表示部の周囲に沿って設けられ、このアンテナに発生する磁界によってＩＣカードやＩＣタグなどの非接触型の被読取媒体に対し非接触状態で無線通信を行うことにより、データの授受が行われるように構成されている。
【発明の概要】
【発明が解決しようとする課題】
【０００５】
しかしながら、このような情報処理装置では、機器ケースの表面にループ状のアンテナが表示部の周囲に沿って設けられた構成であるから、ＩＣカードやＩＣタグなどの非接触型の被読取媒体を機器ケースの表面に接近させなければ、被読取媒体との間で無線通信を行うことができないため、商品などの物品に取り付けられた被読取媒体であるＩＣタグとの間で無線通信を行う際に、使い勝手が悪いという問題がある。
【０００６】
すなわち、この情報処理装置と被読取媒体であるＩＣカードとの間で通信を行う際には、ＩＣカードを機器ケースの表面に近付ければ良いので、表示部を見ながら情報処理装置とＩＣカードとの間で通信を行うことができる。しかし、情報処理装置と被読取媒体であるＩＣタグとの間で通信を行う際には、機器ケースの表面をＩＣタグに近付けなければならないため、表示部が見えず、情報処理装置とＩＣタグとの間で通信が行われているか、確認することができない。
【０００７】
この発明が解決しようとする課題は、１つのアンテナによってケースの表面および裏面の両面で非接触型の被読取媒体との通信を行うことができる情報処理装置を提供することである。
【課題を解決するための手段】
【０００８】
この発明は、ケースの内部にループ状のアンテナを設けた情報処理装置において、前記アンテナは、一部が前記ケースの表面側に位置し、他部が前記ケースの裏面側に位置した状態で、折り曲げ部によって折り曲げられてループ状に連続していることを特徴とする情報処理装置である。
【発明の効果】
【０００９】
この発明によれば、１つのアンテナによってケースの表面および裏面の両面で非接触型の被読取媒体との通信を行うことができる情報処理装置を提供することができる。
【図面の簡単な説明】
【００１０】
【図１】この発明を適用した情報処理装置の第１実施形態を示した表面側の斜視図である。
【図２】図１に示された情報処理装置における裏面側の斜視図である。
【図３】図２に示された情報処理装置のリアケースを取り外して機器ケース内を示した裏面図である。
【図４】図３に示された情報処理装置の内部における要部を示した拡大斜視図である。
【図５】図１に示された情報処理装置において、一部を破断して示した要部の拡大斜視図である。
【図６】図４に示された情報処理装置のＡ−Ａ矢視における要部の拡大断面図である。
【図７】図４に示された情報処理装置のアンテナを示した拡大斜視図である。
【図８】この発明を適用した情報処理装置の第２実施形態を示し、（ａ）はその要部を示した拡大断面図、（ｂ）はそのアンテナを示した拡大斜視図である。
【発明を実施するための形態】
【００１１】
（第１実施形態）
以下、図１〜図７を参照して、この発明を適用した情報処理装置の第１実施形態について説明する。
この情報処理装置は、図１および図２に示すように、タブレットタイプの端末機であり、機器ケース１を備えている。この機器ケース１は、フロントケース２とリアケース３とを有し、全体がほぼ平板状に形成されている。
【００１２】
この機器ケース１の内部には、図３〜図６に示すように、機器モジュール４が配置されている。この機器モジュール４は、入力表示部５、回路基板６、アンテナ７、および充電池８を備えている。入力表示部５は、図１および図６に示すように、フロントケース２内に配置されて、フロントケース２の表面（図６では下面）に設けられた開口部２ａからフロントケース２の表面側に露呈するように構成されている。この場合、入力表示部５は、フロントケース２の周縁部を除くほぼ表面の全域に亘って露呈している。
【００１３】
この入力表示部５は、図１および図６に示すように、表示パネルの表面に透明なタッチパネルを配置し、表示パネルの裏面に入力表示基板を配置した構成になっている。表示パネルは、液晶表示素子やＥＬ表示素子などの平面型の表示素子からなり、電気光学的に情報を表示するように構成されている。
【００１４】
タッチパネルは、表面をタッチ操作することにより情報が入力されるものであり、このタッチパネルを通して表示パネルに表示された情報が見えるように構成されている。入力表示基板は、表示パネルとタッチパネルとが電気的に接続され、この状態で表示パネルを駆動して情報を表示させると共に、タッチパネルのタッチ操作による情報を取り込むように構成されている。
【００１５】
回路基板６は、図３および図６に示すように、入力表示部５の裏面側に位置した状態で、フロントケース２内に設けられた取付ボス２ｂに取り付けられている。この回路基板６は、その中央部に開口部６ａが設けられた平板状に形成されている。この回路基板６には、入力表示部５、アンテナ７、および充電池８が電気的に接続されているほか、情報処理に必要な各種の電子部品が搭載されている。
【００１６】
充電池８は、図３および図６に示すように、平板状に形成され、回路基板６の開口部６ａ内に配置されるように構成されている。この場合、リアケース３には、図２に示すように、充電池８と対応する個所に電池蓋９が着脱可能に取り付けられている。このリアケース３は、フロントケース２に取り付けられ、回路基板６および充電池８を覆い隠すように構成されている。なお、充電池８は、リチウムポリマー充電池などの二次電池により構成されている。
【００１７】
ところで、アンテナ７は、１３．５６ＭＨｚの周波数帯の電波によって無線通信をするためのものであり、図４および図７に示すように、ループ状に形成されたフレキシブル基板１０と、このフレキシブル基板１０に渦巻き状に連続して設けられたアンテナ線１１とを有し、このアンテナ線１１が接続ケーブル１２によって回路基板６と電気的に接続されている。
【００１８】
このアンテナ７は、図３〜図７に示すように、一部１３が機器ケース１内の表面側（図４では下面側）に位置し、他部１４が機器ケース１内の裏面側（図４では上面側）に位置した状態で、折り曲げ部１５によって折り曲げられてループ状に連続するように構成されている。すなわち、このアンテナ７は、一部１３がフロントケース２の内面に配置され、他部１４がリアケース３の内面側に位置する機器モジュール４の裏面である回路基板６の裏面に配置されるように構成されている。
【００１９】
また、このアンテナ７は、図３および図４に示すように、機器ケース１の隅部、つまり図３においてフロントケース２の左上側の隅部に、ほぼ長方形状に設けられている。この場合、回路基板６の左上の角部には、図４に示すように、切欠き部６ｂが設けられている。このため、フロントケース２の内面に位置するアンテナ７の一部１３は、図４および図５に示すように、入力表示部５の左上側に位置する角部の外周部に沿った状態、フロントケース２の内面に配置されている。
【００２０】
すなわち、このアンテナ７の一部１３は、図４において入力表示部５の左辺に対応する左辺部１３ａと、この左辺部１３ａの下端部から回路基板６の左辺の下側に位置する個所に向けて延出された下辺部１３ｂと、左辺部１３ａの上端部から回路基板６の切欠き部６ｂに対応する個所に向けて延出された上辺部１３ｃとを有し、これら左辺部１３ａ、下辺部１３ｂ、上辺部１３ｃによって形成されるほぼ三角形の領域が電波を発生する通信領域を形成するように構成されている。
【００２１】
一方、リアケース３の内面側に位置するアンテナ７の他部１４は、図３および図４に示すように、機器モジュール４の裏面である回路基板６の裏面（図４では上面）に配置されている。このアンテナ７の他部１４は、アンテナ７の一部１３の上辺部１３ｃから折り曲げ部１５を介して連続して回路基板６の裏面上に沿って延びる上辺部１４ａと、アンテナ７の一部１３の下辺部１３ｂから折り曲げ部１５を介して連続して回路基板６の裏面上に沿って延びる下辺部１４ｂと、上辺部１４ａの右端部と下辺部１４ｂの右端部とに連続する右辺部１４ｃとを有している。
【００２２】
この場合、下辺部１４ｂの端部と、これに連続する右辺部１４ｃの下端部とは、図３および図４に示すように、充電池８の角部に重なり合わないように、充電池８の角部を避ける湾曲部１４ｄに連結されている。これにより、アンテナ７の他部１４は、上辺部１４ａ、下辺部１４ｂ、右辺部１４ｃ、湾曲部１４ｄによって形成されるほぼ台形状の領域が電波を発生する通信領域を形成するように構成されている。
【００２３】
さらに、アンテナ７の折り曲げ部１５は、図４、図６および図７に示すように、回路基板６の左辺の縁部、および回路基板６の切欠き部６ｂの縁部に位置する個所に、機器ケース１の厚み方向に向けてほぼ垂直に折り曲げられた状態で設けられている。この折り曲げ部１５は、その高さが機器モジュール４の厚みとほぼ同じ長さに形成され、これにより一部１３と他部１４とが段差をもって配置されるように構成されている。
【００２４】
すなわち、このアンテナ７は、図３〜図７に示すように、ループ状に形成されたフレキシブル基板１０がアンテナ線１１と共に折り曲げ部１５で折り曲げられることにより、アンテナ７の一部１３がフロントケース２の内面に配置され、アンテナ７の他部１４が機器モジュール４の回路基板６の裏面に配置された状態で、ループ状に連続するように構成されている。
【００２５】
これにより、アンテナ７は、図３〜図７に示すように、フロントケース２の内面に配置されたアンテナ７の一部１３によって電波を発生することにより、機器ケース１の表面側で非接触状態での無線通信が可能となり、また機器モジュール４の回路基板６の裏面に配置されてリアケース３側に位置するアンテナ７の他部１４によって電波を発生することにより、機器ケース１の裏面側でも非接触状態での無線通信が可能となるように構成されている。
【００２６】
次に、この情報処理装置の作用について説明する。
この情報処理装置を使用する際には、入力表示部５の表示パネルに表示された情報を見ながら、タッチパネルを操作することにより、使用者が所望する情報を入力することができる。また、この状態で、非接触型の被読取媒体であるＩＣカード（図示せず）を図１において機器ケース１の右上側の隅部の表面側に近付けると、アンテナ７に発生した磁界によってアンテナ７とＩＣカードとの間で無線通信が行われてデータの授受が行われる。
【００２７】
このときには、アンテナ７の一部１３がフロントケース２の内面に配置されているので、このアンテナ７の一部１３が通信に必要な電波、つまり１３．５６ＭＨｚの周波数帯の電波を発生することにより、機器ケース１の表面に非接触状態で接近したＩＣカードとの間で通信ができる。
【００２８】
すなわち、このアンテナ７の一部１３は、図４において入力表示部５の左上側に位置する角部の外周部に沿った状態で、フロントケース２の内面に配置されて機器ケース１内の表面側に位置していることにより、入力表示部５を見ながらアンテナ７の一部１３が通信領域となり、この通信領域で無線通信ができる。
【００２９】
つまり、アンテナ７の一部１３は、図４において入力表示部５の左辺に対応する左辺部１３ａと、この左辺部１３ａの下端部から回路基板６の左辺の下側に位置する個所に向けて延出された下辺部１３ｂと、左辺部１３ａの上端部から回路基板６の切欠き部６ｂに対応する個所に向けて延出された上辺部１３ｃとを有しているので、これら左辺部１３ａ、下辺部１３ｂ、上辺部１３ｃによって形成されるほぼ三角形の領域が通信領域となり、この通信領域で通信ができる。
【００３０】
一方、商品などの物品に取り付けられた非接触型の被読取媒体であるＩＣタグ（図示せず）に図１における機器ケース１の右上の隅部の裏面側を近付けると、アンテナ７に発生した磁界によってアンテナ７とＩＣタグとの間で無線通信が行われてデータの授受が行われる。
【００３１】
このときには、アンテナ７の他部１４が機器モジュール４の裏面である回路基板６の裏面に配置されてリアケース３に接近しているので、このアンテナ７の他部１４が通信に必要な電波を発生することにより、入力表示部５を見ながら機器ケース１の裏面に非接触状態で接近したＩＣタグとの間で無線通信ができる。
【００３２】
すなわち、アンテナ７の他部１４は、図４に示すように、アンテナ７の一部１３の上辺部１３ｃから折り曲げ部１５を介して連続して回路基板６の裏面上に沿って延びる上辺部１４ａと、アンテナ７の一部１３の下辺部１３ｂから折り曲げ部１５を介して連続して回路基板６の裏面上に沿って延びる下辺部１４ｂと、上辺部１４ａの右端部と下辺部１４ｂの右端部とに連続する右辺部１４ｃと、充電池８の角部を避ける湾曲部１４ｄとを有しているので、これら上辺部１４ａ、下辺部１４ｂ、右辺部１４ｃ、湾曲部１４ｄによって形成されるほぼ台形状の領域が通信領域となり、この通信領域で通信ができる。
【００３３】
この場合、アンテナ７の他部１４は、その通信領域が、アンテナ７の一部１３の通信領域よりも、面積が広いので、電波を強く発生させることができ、これによりＩＣタグに機器ケース１の隅部の裏面側を近付ける際に、ＩＣカードを機器ケース１の隅部の表面側に近付ける場合に比べて、距離を長く離しても、確実にかつ良好に通信ができる。
【００３４】
このように、この情報処理装置によれば、機器ケース１の内部に設けられるループ状のアンテナ７の一部１３が機器ケース１の表面側に位置し、アンテナ７の他部１４が機器ケース１の裏面側に位置した状態で、折り曲げ部１５によって折り曲げられてループ状に連続していることにより、１つのアンテナ７によって機器ケース１の表面および裏面の両面で通信ができるので、使い勝手の良いものを提供することができる。
【００３５】
すなわち、この情報処理装置では、機器ケース１内の表面側に位置するアンテナ７の一部１３によって機器ケース１の表面側において非接触状態で通信することができ、また機器ケース１内の裏面側に位置するアンテナ７の他部１４によって機器ケース１の裏面側においても非接触状態で通信することができる。このため、１つのアンテナ７によって機器ケース１の表面および裏面の両面で通信ができるので、機器ケース１の表面および裏面の両面のいずれにおいても、入力表示部５を見ながら通信することができ、これにより使い勝手の良いものを提供することができる。
【００３６】
また、この情報処理装置では、１つのアンテナ７によって機器ケース１の表面および裏面の両面で通信ができることにより、１つのアンテナ７に対して１つの駆動チップを設けるだけで良いので、部品点数を削減することができ、これにより実装作業が容易になるばかりか、装置全体の軽量化および低コスト化を図ることができる。
【００３７】
この場合、アンテナ７は、ループ状に形成されたフレキシブル基板１０と、このフレキシブル基板１０に渦巻き状に連続して設けられたアンテナ線１１とを有しているので、フレキシブル基板１０をアンテナ線１１と共に自由に屈曲させることができ、これによりフレキシブル基板１０を折り曲げ部１５で簡単にかつ良好に折り曲げることができるので、アンテナ７をループ状に連続させた状態で、アンテナ７の一部１３を機器ケース１の表面側に位置させ、アンテナ７の他部１４を機器ケース１の裏面側に位置させることができる。
【００３８】
また、この情報処理装置では、機器ケース１の内部に、その表面に露呈する入力表示部５を有する機器モジュール４が設けられており、この機器ケース１内の表面側に位置するアンテナ７の一部１３が入力表示部５の外周部に配置されていることにより、機器ケース１内に入力表示部５を有する機器モジュール４が設けられていても、機器ケース１内の表面側に位置するアンテナ７の一部１３が入力表示部５による影響を受けずに、アンテナ７の一部１３によって機器ケース１の表面側において確実にかつ良好に通信することができる。
【００３９】
この場合、機器ケース１内の裏面側に位置するアンテナ７の他部１４は、機器モジュール４の裏面に配置されていることにより、機器ケース１内に入力表示部５を有する機器モジュール４が設けられていても、機器ケース１内の裏面側に位置するアンテナ７の他部１４が機器モジュール４による影響を受けずに、アンテナ７の他部１４によって機器ケース１の裏面側において確実にかつ良好に通信することができる。
【００４０】
また、この情報処理装置では、アンテナ７が機器ケース１内の隅部に設けられていることにより、機器ケース１内の表面側に位置するアンテナ７の一部１３を入力表示部５の角部の外周部に沿った状態で、機器ケース１内の表面側に配置することができ、これによりアンテナ７の一部１３における通信領域の面積を確保することができる。
【００４１】
すなわち、機器ケース１内の表面側に位置するアンテナ７の一部１３は、図４において入力表示部５の左上側に位置する角部の外周部に沿った状態で、フロントケース２の内面に配置されているので、アンテナ７の一部１３による通信領域の面積を確保することができ、これにより被読取媒体の通信に必要な電波を発生させることができるので、確実にかつ良好に通信することができる。
【００４２】
この場合、アンテナ７の一部１３は、例えば、図４において入力表示部５の左辺に対応する左辺部１３ａと、この左辺部１３ａの下端部から回路基板６の左辺の下側に位置する個所に向けて延出された下辺部１３ｂと、左辺部１３ａの上端部から回路基板６の切欠き部６ｂに対応する個所に向けて延出された上辺部１３ｃとを有しているので、これら左辺部１３ａ、下辺部１３ｂ、上辺部１３ｃによってほぼ三角形の通信領域を形成することができ、この通信領域によって通信面積を確保することができる。
【００４３】
また、機器ケース１内の裏面側に位置するアンテナ７の他部１４は、機器モジュール４の裏面である回路基板６の裏面に十分な広さをもって配置されているので、アンテナ７の他部１４における通信領域の面積を、アンテナ７の一部１３における通信領域の面積よりも、十分に確保することができる。このため、機器ケース１の裏面側で通信する際には、機器ケース１の表面側で通信する場合に比べて、アンテナ７の他部１４によって電波を強く発生させることができるので、ＩＣカードやＩＣタグなどの被読取媒体に対する距離を長く離しても、確実にかつ良好に通信ができる。
【００４４】
（第２実施形態）
次に、図８（ａ）および図８（ｂ）を参照して、この発明を適用した情報処理装置の第２実施形態について説明する。なお、図１〜図７に示された第１実施形態と同一部分には同一符号を付して説明する。
この情報処理装置は、アンテナ２０が第１実施形態と異なる構成であり、これ以外は第１実施形態とほぼ同じ構成になっている。
【００４５】
このアンテナ２０は、第１実施形態と同様、１３．５６ＭＨｚの周波数帯の電波によって無線通信をするためのものであり、ループ状に形成されたフレキシブル基板１０と、このフレキシブル基板に渦巻き状に連続して設けられたアンテナ線１１とを有し、このアンテナ線１１が接続ケーブル（図示せず）によって回路基板６と電気的に接続されるように構成されている。
【００４６】
また、このアンテナ２０は、図８（ａ）および図８（ｂ）に示すように、その一部２１が機器ケース１内の表面側（図８（ａ）では上面側）に位置し、他部２２が機器ケース１内の裏面側（図８（ａ）では下面側）に位置した状態で、折り曲げ部２３によって折り返されてループ状に連続するように構成されている。すなわち、このアンテナ２０の折り曲げ部２３は、機器ケース１内に設けられた機器モジュール４の厚みとほぼ同じ高さで形成されている。
【００４７】
これにより、アンテナ２０は、図８（ａ）および図８（ｂ）に示すように、その一部２１が機器モジュール４の表面側に配置され、アンテナ２０の他部２２が機器モジュール４の裏面側に配置された状態で、機器モジュール４を挟むように構成されている。この場合、アンテナ２０の一部２１は、機器モジュール４の表面側に位置する入力表示部５の外周に配置されるように構成されている。また、アンテナ２０の他部２２は、機器モジュール４の裏面に位置する回路基板６の裏面に配置されるように構成されている。
【００４８】
すなわち、アンテナ２０の一部２１は、図８（ａ）および図８（ｂ）に示すように、機器モジュール４の表面側に位置する入力表示部５の外周に沿ってほぼ直線状に形成された直線部２１ａと、この直線部２１ａの両端に位置する各側辺部から機器ケースの外部側に向けて延びる一対の延出部２１ｂとを有し、これら直線部２１ａと一対の延出部２１ｂとによって形成されるほぼ長方形状の領域が電波を発生する通信領域を形成するように構成されている。
【００４９】
また、アンテナ２０の折り曲げ部２３は、図８（ａ）および図８（ｂ）に示すように、アンテナ２０の一部２１における一対の延出部２１ｂの各端部にそれぞれほぼ垂直に折り曲げられた状態で設けられている。アンテナ２０の他部２２は、各折り曲げ部２３の上端部から回路基板６の裏面に沿ってそれぞれ機器ケース１の内側に向けて延びる一対の延出部２２ａと、この一対の延出部２２ａの端部に連結された連結部２２ｂとを有し、一対の延出部２２ａと連結部２２ｂとによって形成されるほぼ長方形状の領域が電波を発生する通信領域を形成するように構成されている。
【００５０】
この場合、アンテナ２０の一部２１の直線部２１ａとアンテナ２０の他部２２の連結部２２ｂとは、図８（ａ）および図８（ｂ）に示すように、ほぼ同じ長さに形成されており、アンテナ２０の他部２２における一対の延出部２２ａは、その長さがアンテナ２０の一部２１における一対の延出部２１ｂの長さよりも長く形成されている。これにより、このアンテナ２０は、アンテナ２０の他部２２における通信領域の面積がアンテナ２０の一部２１における通信領域の面積よりも広く形成されていることにより、アンテナ２０の他部２２が電波を強く発生するように構成されている。
【００５１】
次に、このようなアンテナ２０を備えた情報処理装置の作用について説明する。
この情報処理装置においても、第１実施形態と同様に使用することができる。すなわち、アンテナ２０が設けられた個所に位置する機器ケース１の表面に非接触型の被読取媒体であるＩＣカード（図示せず）を近付けると、アンテナ２０に発生した磁界によってアンテナ２０とＩＣカードとの間で無線通信が行われてデータの授受が行われる。
【００５２】
このときには、アンテナ２０の一部２１が機器ケース１内の表面側に配置されているので、このアンテナ２０の一部２１が通信に必要な電波、つまり１３．５６ＭＨｚの周波数帯の電波を発生することにより、機器ケース１の表面に非接触状態で接近したＩＣカードとの間で通信ができる。すなわち、このアンテナ２０の一部２１は、入力表示部５の外周部に沿った状態で、機器ケース１内の表面側に配置されていることにより、入力表示部５を見ながらアンテナ２０の一部２１が通信領域となり、この通信領域で無線通信ができる。
【００５３】
この場合、アンテナ２０の一部２１は、図８（ａ）および図８（ｂ）に示すように、入力表示部５の外周に沿ってほぼ直線状に形成された直線部２１ａと、この直線部２１ａの両端に位置する各側辺部から機器ケースの外部側に向けて延びる一対の延出部２１ｂとを有しているので、これら直線部２１ａと一対の延出部２１ｂとによって形成されるほぼ長方形状の領域が通信領域となり、この通信領域で通信ができる。
【００５４】
一方、アンテナ２０が設けられた個所に位置する機器ケース１の裏面を商品などの物品に取り付けられた非接触型の被読取媒体であるＩＣタグ（図示せず）に近付けると、アンテナ２０に発生した磁界によってアンテナ２０とＩＣタグとの間で無線通信が行われてデータの授受が行われる。このときには、アンテナ２０の他部２２が機器モジュール４の裏面である回路基板６の裏面に配置されているので、入力表示部５を見ながらアンテナ２０の他部２２が通信に必要な電波を発生することにより、機器ケース１の裏面に非接触状態で接近したＩＣタグとの間で通信ができる。
【００５５】
すなわち、アンテナ２０の他部２２は、アンテナ２０の一部２１における直線部２１ａの両端部の各側部から折り曲げ部２３を介して連続して回路基板６の裏面上に沿って延びる一対の延出部２２ａと、この一対の延出部２２ａの各端部に連結された連結部２２ｂとを有しているので、これら一対の延出部２２ａと連結部２２ｂとによって形成されるほぼ長方形状の領域が通信領域となり、この通信領域で無線通信ができる。
【００５６】
この場合、アンテナ２０の他部２２は、その通信領域が、アンテナ２０の一部２１の通信領域よりも、面積が広いので、電波を強く発生させることができ、これにより被読取媒体であるＩＣタグに機器ケース１の裏面側を近付ける際に、被読取媒体であるＩＣカードを機器ケース１の表面側に近付ける場合に比べて、距離を長く離しても、確実にかつ良好に通信ができる。
【００５７】
このように、この情報処理装置においても、機器ケース１内の表面側に位置するアンテナ２０の一部２１によって機器ケース１の表面側において非接触状態で通信することができ、また機器ケース１内の裏面側に位置するアンテナ２０の他部２２によって機器ケース１の裏面側においても非接触状態で通信することができる。このため、１つのアンテナ２０によって機器ケース１の表面および裏面の両面で通信ができるので、第１実施形態と同様、機器ケース１の表面および裏面の両面のいずれにおいても、入力表示部５を見ながら通信することができ、これにより使い勝手の良いものを提供することができる。
【００５８】
この場合にも、機器ケース１の内部には、第１実施形態と同様、その表面に露呈する入力表示部５を有する機器モジュール４が設けられており、この機器ケース１内の表面側に位置するアンテナ２０の一部２１は入力表示部５の外周部に配置されていることにより、機器ケース１内に入力表示部５を有する機器モジュール４が設けられていても、機器ケース１内の表面側に位置するアンテナ２０の一部２１が入力表示部５による影響を受けずに、アンテナ２０の一部２１によって機器ケース１の表面側において確実にかつ良好に通信をすることができる。
【００５９】
すなわち、機器ケース１内の表面側に位置するアンテナ２０の一部２１は、機器モジュール４の表面側に位置する入力表示部５の外周に沿ってほぼ直線状に形成された直線部２１ａと、この直線部２１ａの両端に位置する各側辺部から機器ケースの外部側に向けて延びる一対の延出部２１ｂとを有し、これら直線部２１ａと一対の延出部２１ｂとよってほぼ長方形状の通信領域を形成することができ、この通信領域によって通信面積を確保することができる。
【００６０】
また、機器ケース１内の裏面側に位置するアンテナ２０の他部２２は、機器モジュール４の裏面に配置されていることにより、機器ケース１内に入力表示部５を有する機器モジュール４が設けられていても、機器ケース１内の裏面側に位置するアンテナ２０の他部２２が機器モジュール４による影響を受けずに、アンテナ２０の他部２２によって機器ケース１の裏面側において確実にかつ良好に通信をすることができる。
【００６１】
すなわち、アンテナ２０の他部２２は、アンテナ２０の各折り曲げ部２３の上端部から回路基板６の裏面に沿ってそれぞれ機器ケース１の内側に向けて延びる一対の延出部２２ａと、この一対の延出部２２ａの端部に連結された連結部２２ｂとを有しているので、これら一対の延出部２２ａと連結部２２ｂとよってほぼ長方形状の通信領域を形成することができ、この通信領域によって通信面積を確保することができる。
【００６２】
この場合、アンテナ２０は、アンテナ２０の他部２２における通信領域の面積がアンテナ２０の一部２１における通信領域の面積よりも広く形成されているので、機器ケース１の裏面側で通信する際に、機器ケース１の表面側で通信する場合に比べて、アンテナ２０の他部２２によって電波を強く発生させることができるので、ＩＣカードやＩＣタグなどの被読取媒体に対する距離を長く離しても、確実にかつ良好に通信ができる。
【００６３】
なお、上述した第１、第２の各実施形態では、機器ケース１内に設けられた機器モジュール４が入力表示部５を備えている場合について述べたが、必ずしも入力表示部５を備えている必要はなく、入力部と表示部とを同一平面に並列に設けた構成であっても良い。
【００６４】
また、上述した第１、第２の各実施形態では、アンテナ７、２０を機器ケース１内の隅部に設けた場合について述べたが、必ずしも機器ケース１内の隅部に設ける必要はなく、機器ケース１内の辺部に設けても良い。
【００６５】
さらに、上述した第１、第２の各実施形態では、タブレットタイプの情報処理装置について述べたが、必ずしもタブレットタイプの情報処理装置である必要はなく、リードライト機能を有する情報処理装置に広く適用することができる。
【００６６】
また、上述した第１、第２の各実施形態では、アンテナ７、２０をフレキシブル基板１０により構成する場合について述べたが、必ずしもフレキシブル基板である必要はなく、硬い基板によりアンテナ７、２０を構成しても良い。
【００６７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６８】
（付記）
請求項１に記載の発明は、ケースの内部にループ状のアンテナを設けた情報処理装置において、前記アンテナは、一部が前記ケースの表面側に位置し、他部が前記ケースの裏面側に位置した状態で、折り曲げ部によって折り曲げられてループ状に連続していることを特徴とする情報処理装置である。
【００６９】
請求項２に記載の発明は、請求項１に記載の情報処理装置において、前記アンテナは、ループ状に形成されたフレキシブル基板と、このフレキシブル基板に渦巻き状に連続して設けられたアンテナ線とを有していることを特徴とする情報処理装置である。
【００７０】
請求項３に記載の発明は、請求項１または請求項２に記載の情報処理装置において、前記ケースの内部には、このケースの表面に露呈する表示部を有するモジュールが設けられており、前記ケースの表面側に位置する前記アンテナの前記一部は、前記表示部の外周部に配置されていることを特徴とする情報処理装置である。
【００７１】
請求項４に記載の発明は、請求項３に記載の情報処理装置において、前記ケースの裏面側に位置する前記アンテナの前記他部は、前記モジュールの裏面に配置されていることを特徴とする情報処理装置である。
【００７２】
請求項５に記載の発明は、請求項１〜請求項４のいずれかに記載の情報処理装置において、前記アンテナは、前記ケースの隅部に設けられていることを特徴とする情報処理装置である。
【符号の説明】
【００７３】
１  機器ケース
２  フロントケース
３  リアケース
４  機器モジュール
５  入力表示部
６  回路基板
７、２０  アンテナ
１０  フレキシブル基板
１１  アンテナ線
１２  接続ケーブル
１３、２１  アンテナの一部
１４、２２  アンテナの他部
１５、２３  アンテナの折り曲げ部
【図１】
2014082607.tif 000003
【図２】
2014082607.tif 000004
【図３】
2014082607.tif 000005
【図４】
2014082607.tif 000006
【図５】
2014082607.tif 000007
【図６】
2014082607.tif 000008
【図７】
2014082607.tif 000009
【図８】
2014082607.tif 000010